(57)【要約】      （修正有）【課題】視覚障害者でも、また点字を理解していない健常者でも容易に操作を行うことのできる、非常に汎用性のある押ボタン式スイッチを有する数字入力装置を提供する。【解決手段】少なくとも１から９までの数字に対応した押ボタン式スイッチを有する数字入力装置において、１から９までの数字に対応した９つの前記押ボタン式スイッチを、３行３列に並べて配列し、これらの押ボタン式スイッチの押下面の中央ないし四隅に数字識別用突起を設けた。【選択図】図１
2016146053.tif 000002
【特許請求の範囲】
【請求項１】
少なくとも１から９までの数字に対応した押ボタン式スイッチを有する数字入力装置において、
１から９までの数字に対応した９つの前記押ボタン式スイッチを、３行３列に並べて配列し、これらの押ボタン式スイッチの押下面の中央ないし四隅に数字識別用突起を設けたことを特徴とする押ボタン式スイッチを有する数字入力装置。
【請求項２】
前記１から９までの数字に対応した９つの押ボタン式スイッチを、３行３列に並べて配列した前記押ボタン式スイッチにおいて、
中央の５の押ボタン式スイッチには中央に数字識別用突起を設け、１〜４は四隅のいずれかに数字識別用突起を設け、６〜９には中央および四隅のいずれかに数字識別用突起を設けたことを特徴とする請求項１に記載の押ボタン式スイッチを有する数字入力装置。
【請求項３】
前記押ボタン式スイッチが、３行３列の下部に１０〜１２からなる付加された行が配列されており、１０の押ボタン式スイッチの中央には数字識別用凹みを設け、１１〜１２は中央に数字識別用凹みを、また四隅のいずれかには数字識別用突起を設けたことを特徴とする請求項１または２に記載の押ボタン式スイッチを有する数字入力装置。
【発明の詳細な説明】
【技術分野】
【０００１】
本発明は、たとえばテレビその他のＡＶ機器のリモコンや、携帯電話、スマートフォン、その他の携帯可能な電子機器（モバイル）、コインロッカー等の操作部等の制御に使用される押ボタン式スイッチを有する数字入力装置に係り、特に目で見ないでも操作が可能な押ボタン式スイッチを有する数字入力装置に関する。
【背景技術】
【０００２】
近年、テレビその他のＡＶ機器や、携帯電話、スマートフォン、その他の携帯可能な電子機器（モバイル）の普及はめざましく、社会にとって必要不可欠な存在となっている。
【０００３】
このようなテレビその他のＡＶ機器のリモコンや、携帯電話、スマートフォン、その他の携帯可能な電子機器（モバイル）等の制御に使用される押ボタン式スイッチを有する数字入力装置は、通常１から９までの数字に対応した９つの前記押ボタン式スイッチを、３行３列に並べて配列したものであった。
ちなみに、そのような押ボタン式スイッチは５の押ボタン式スイッチの表面に小さい突起をもうけ、数字入力装置の中心位置であることを示唆するようになっている。
【０００４】
ところが、このような押ボタン式スイッチを有する数字入力装置では、視覚障害者が操作したりすることができないという問題がある。このため特開平５−２７３９０８号公報（特許文献１参照）のように、１から９までの押ボタン式スイッチに点字表示を設け、視覚障害者が操作できるようにした数字入力装置および押ボタン式スイッチも開発されている。
【先行技術文献】
【特許文献】
【０００５】
【特許文献１】特開平５−２７３９０８号公報
【発明の概要】
【発明が解決しようとする課題】
【０００６】
しかしながら、上述した従来の視覚障害者が操作できるようにした数字入力装置および押ボタン式スイッチでは、点字を理解していない健常者等が操作できないという問題があった。
【０００７】
本発明は、かかる従来の事情に対処してなされたもので、視覚障害者でも、また点字を理解していない健常者でも容易に操作を行うことのできる、非常に汎用性のある押ボタン式スイッチを有する数字入力装置を提供しようとするものである。
【課題を解決するための手段】
【０００８】
本発明の押ボタン式スイッチを有する数字入力装置は、少なくとも１から９までの数字に対応した押ボタン式スイッチを有する数字入力装置において、
１から９までの数字に対応した９つの前記押ボタン式スイッチを、３行３列に並べて配列し、これらの押ボタン式スイッチの押下面の中央ないし四隅に数字識別用突起を設けたことを特徴とするものである。
【０００９】
本発明の押ボタン式スイッチを有する数字入力装置は、前記１から９までの数字に対応した９つの押ボタン式スイッチを、３行３列に並べて配列した前記押ボタン式スイッチにおいて、
中央の５の押ボタン式スイッチには中央に数字識別用突起を設け、１〜４は四隅のいずれかに数字識別用突起を設け、６〜９には中央および四隅のいずれかに数字識別用突起を設けたことをも特徴とするものである。
【００１０】
本発明の押ボタン式スイッチを有する数字入力装置において、前記押ボタン式スイッチが、３行３列の下部に１０〜１２からなる付加された行が配列されており、１０の押ボタン式スイッチの中央には数字識別用凹みを設け、１１〜１２は中央には数字識別用凹みを、また四隅のいずれかには数字識別用突起を設けたことをも特徴とするものである。
【発明の効果】
【００１１】
上記構成の本発明によれば、視覚障害者や健常者が押ボタン式スイッチの押下面に触れて、すぐにその意味を理解してそのまま押下操作を行うことができるので、視覚障害者でも点字を理解していない健常者でも容易に操作を行うことのできる、非常に汎用性のある押ボタン式スイッチを有する数字入力装置を提供することが可能となる。
【図面の簡単な説明】
【００１２】
【図１】本発明の押ボタン式スイッチを有する数字入力装置の実施の形態を説明するためのものであり、その１実施例の要部構成を示す概略図である。
【発明を実施するための形態】
【００１３】
以下、本発明の１実施例について図面を参照して説明する。
図１は、本発明の押ボタン式スイッチを有する数字入力装置の１実施例の要部構成を示すものである。
同図において１１Ａ〜１１Ｌはテレビその他のＡＶ機器のリモコンに用いる押ボタン式スイッチを示している。これらの押ボタン式スイッチ１１Ａ〜１１Ｌは、１から１２までの数字を表す押ボタン式スイッチ１１Ａ〜１１Ｌが左上から４行３列に順番に配列されており、０を表す押ボタン式スイッチをこれらの下部に配置することもできる。
そして、中央の５の押ボタン式スイッチ１１Ｅには中央にやや大きめの数字識別用突起１２を設け、また１〜４の押ボタン式スイッチ１１Ａ〜１１Ｄには四隅のいずれかに小さめの数字識別用突起１３が設けてある。
また、６〜９の押ボタン式スイッチ１１Ｆ〜１１Ｉには中央および四隅のいずれかにそれぞれ数字識別用突起１２，１３を設けてある。
【００１４】
さらに、前記押ボタン式スイッチ１１Ａ〜１１Ｉの３行３列の下部には、１０〜１２の数字を表す押ボタン式スイッチ１１Ｊ〜１１Ｌからなる付加された行が配列されている。
そして、１０の押ボタン式スイッチ１１Ｊの中央には数字識別用凹み１４を設け、１１〜１２の押ボタン式スイッチ１１Ｋ，１１Ｌには中央には数字識別用凹み１４を、また四隅のいずれかには数字識別用突起１５を設けてある。
【産業上の利用可能性】
【００１５】
なお、上記実施例においては、本発明をテレビその他のＡＶ機器のリモコンに適用した例について説明したが、本発明はかかる実施例に限定されるものではなく、たとえば旅客鉄道の切符を販売する自動券売機等の各種自動販売機、コインロッカー等の操作部にも、また携帯電話、スマートフォン、その他の携帯可能な電子機器（モバイル）の操作部にも利用できることはいうまでもない。
【符号の説明】
【００１６】
１１Ａ〜１１Ｌ  押ボタン式スイッチ
１２  数字識別用突起（大）
１３  数字識別用突起（小）
１４  数字識別用凹み（大）
１５  数字識別用突起（小）
【図１】
2016146053.tif 000003